(57)【特許請求の範囲】
【請求項１】
引出し内に取り付けられて使用される収納部材であって、
物品を収容する空間を形成する収納部本体と、
前記空間を複数の小空間に分割するための仕切り部材と、を備え、
前記仕切り部材は、
空間を実質的に分割する仕切り壁部と、
前記仕切り壁部の両側に形成され、前記収納部本体の内壁に近接または当接する支持壁部と、 
前記仕切り壁部の両側に形成され、前記仕切り部材を前記収納部本体にスライド可能な状態で取り付けるための引掛け部と、をさらに備え、
前記仕切り部材の下端部には、前記仕切り壁部と前記支持壁部との間に空間を設けるための切欠きが形成されており、
前記収納部本体は、少なくとも前壁部および後壁部を有し、前記前壁部および後壁部の下方であって、前記仕切り部材が取り付けられた状態で前記切欠きが形成されている部位に対応する位置には、前記切欠きを圧縮する方向に前記支持壁部を押圧するための押圧手段が形成されていることを特徴とする収納部材。
【請求項２】
前記押圧手段は、前記前壁部および後壁部から前記収納部本体の内側に向けて突出する張り出し部であることを特徴とする請求項1に記載の収納部材。                  
【請求項３】
前記張り出し部は、傾斜壁部と、前記傾斜壁部の下方につながる起立壁部とを備えていることを特徴とする請求項２に記載の収納部材。
【請求項４】
前記張り出し部の高さ寸法は、前記切欠きの高さ寸法と同一に設定されていることを特徴とする請求項２または３に記載の収納部材。
【請求項５】
内部に収納部材が取り付けられた引出しキャビネットであって、前記収納部材として請求項１から４のいずれかが用いられていることを特徴とする引出しキャビネット。
【発明の詳細な説明】
【技術分野】
【０００１】
本発明は、キッチンなどに用いられる引出しに取り付けられる収納部材およびこの収納部材を備えた引出しキャビネットに関するものである。
【背景技術】
【０００２】
従来、キッチンの引出し内に装着されて用いられるボックスは、脱着自在な仕切り部材を取り付けて、収納空間をさらに分割して使用勝手を良くすることが知られている。そのような構成例を、図１１（ａ）、（ｂ）にそれぞれ示す。
【０００３】
図１１（ａ）は、比較的高さのあるボックス８０の収納空間を仕切り部材８１で分割した構成である。図１１（ｂ）は、ボックス８０に対して、仕切り部材８１を取り付けまたは取り外す状態を示す図である。仕切り部材８１を取り付けおよび取り外しは、ボックス８０の内面に形成された溝８２に仕切り部材８１を挿脱することで可能となる。
【０００４】
ところで、従来、厨房家具において、引出しの前板の背面に脱着自在な縦型ポケットを取り付け、その縦型ポケットの内部を、上端に挟持片を備えた仕切板によって区画する構成が知られている（特許文献１参照）。
【０００５】
図９は、本発明者が本願発明の開発中に検討した対比例である収納部材７０を示す。この収納部材７０では、収納部材本体７１の収納空間が仕切り部材７４によって分割されるが、収納部材本体７１の前壁部７２および後壁部７３のいずれかにも、後記する本発明のように内側に張り出した張り出し部が形成されていない。
【先行技術文献】
【特許文献】
【０００６】
【特許文献１】特開２００４−２９０４２０号公報
【発明の概要】
【発明が解決しようとする課題】
【０００７】
脱着自在の仕切り部材で収納空間が分割可能な図１１（ａ）、（ｂ）に示すボックスでは、仕切り部材の取り付け位置が固定されているために、分割された収納空間を調整することができないという問題がある。
【０００８】
仕切板で収納空間が分割可能な特許文献１に示す縦型ポケットでは、仕切板を自由な位置で縦型ポケットに取付け可能であるが、縦型ポケットの壁部の上端部は平面状であり、仕切り部材の取り付け安定性の面で問題がある。例えば、フライパンなどの重いものをもたれかけた時に仕切り部材が外れることがある。
【０００９】
特許文献１に示す縦型ポケットおよび図９に示す対比例である収納部材７０の課題を、図１０に示す概念図によって説明する。従来の縦型ポケットや対比例では、図９（ａ）に示すように、仕切り部材７５の上端の挟持片７６を縦型ポケット等の収納部本体７７の上縁に引掛けて取り付けているが、仕切り部材７５の下端は、特に係止されておらず自由状態である。このため、仕切り部材７５と収納部材本体７１との隙間の設計寸法が小さすぎると着脱性が悪くなり、大きすぎると仕切り部材７５の安定性が悪くなる。
【００１０】
例えば、この隙間が大きい場合に、フライパンなどの比較的重い収納物７８を収容すると、収納物７８が傾いたりする際に収納物７８によって、図９（ｂ）に示すように、仕切り部材７５の下部が収納部本体７７の底壁部７９に沿うように移動したり、ずれたり、或いは挟持片７６を中心に回動してしまい、その結果、仕切り部材７５を安定して保持できず、収納物７８を安定して支持できないような問題が生じる可能性がある。従って、仕切り部材７５と収納部材本体７１との隙間をシビアに設計、製造管理する必要がある。
【００１１】
本発明は、上記従来の問題を解決することを目的とし、仕切り部材と収納部本体との隙間をシビアに設計、製造管理する必要がなく、仕切り部材の着脱と取り付け位置の変更が容易であり、しかも安定して仕切り部材を保持可能な収納部材およびこのような収納部材を備えた引出しキャビネットを実現することを課題とする。 
【課題を解決するための手段】
【００１２】
本発明は上記課題を解決するために、引出し内に取り付けられて使用される収納部材であって、物品を収容する空間を形成する収納部本体と、前記空間を複数の小空間に分割するための仕切り部材と、を備え、前記仕切り部材は、空間を実質的に分割する仕切り壁部と、前記仕切り壁部の両側に形成され、前記収納部本体の内壁に近接または当接する支持壁部と前記仕切り壁部の両側に形成され、前記仕切り部材を前記収納部本体にスライド可能な状態で取り付けるための引掛け部と、をさらに備え、前記仕切り部材の下端部には、前記仕切り壁部と前記支持壁部との間に空間を設けるための切欠きが形成されており、前記収納部本体は、少なくとも前壁部および後壁部を有し、前記前壁部および後壁部の下方であって、前記仕切り部材が取り付けられた状態で前記切欠きが形成されている部位に対応する位置には、前記切欠きを圧縮する方向に前記支持壁部を押圧するための押圧手段が形成されていることを特徴とする収納部材を提供する。
【００１３】
前記押圧手段は、前記前壁部および後壁部から前記収納部本体の内側に向けて突出する張り出し部であることが好ましい。                      
【００１４】
前記張り出し部は、傾斜壁部と、前記傾斜壁部の下方につながる起立壁部とを備えていることが好ましい。  
【００１５】
前記張り出し部１７の高さ寸法は、前記切欠きの高さ寸法と同一に設定されていることが好ましい。
【００１６】
本発明では、上記問題を解決するために、内部に収納部材が取り付けられた引出しキャビネットであって、収納部材として前記構成の収納部材が用いられていることを特徴とする引出しキャビネットを提供する。
【発明の効果】
【００１７】
本発明の収納部材は、仕切り部材の引掛け部により仕切り部材が収納部本体にスライド可能に取り付けられ、仕切り部材の下端部には切欠きが形成されているので、仕切り部材と収納部本体との隙間をシビアに設計、製造管理する必要がなく、収納部材に仕切り部材を容易に着脱、移動することが可能であり、収納部本体に仕切り部材を取り付けた状態で安定して仕切り部材を保持することが可能となった。
【図面の簡単な説明】
【００１８】
【図１】（ａ）、（ｂ）は、それぞれ本発明に係る収納部材および該収納部材を備えたキャビネットの実施例であり、全体構成の例を示す斜視図である。
【図２】（ａ）は上記実施例の収納部本体の縦方向に垂直な断面図であり、（ｂ）は張り出し部の変形例を示す断面図である。
【図３】上記実施例の大きな仕切り部材を示す図であり、（ａ）は正面図、（ｂ）は（ａ）のＢ−Ｂ断面図である。
【図４】上記実施例の中位な仕切り部材を示す図であり、（ａ）は正面図、（ｂ）は（ａ）のＢ−Ｂ断面図である。
【図５】上記実施例の小さな仕切り部材を示す図であり、（ａ）は正面図、（ｂ）は大きな仕切り部材の開口部に引掛けた状態を示す図である。
【図６】上記実施例の側壁部を説明する図であり、（ａ）は断面図、（ｂ）は（ａ）の要部拡大図、（ｃ）は側壁部に小さな仕切り部材を引掛けた状態を示す図である。
【図７】上記実施例の収納部本体に大きな仕切り部材を取り付け、さらに仕切り部材に中位の仕切り部材または小さな仕切り部材を取り付けた状態を示す図である。
【図８】（ａ）、（ｂ）は、上記実施例の収納部本体に大きな仕切り部材または中位の仕切り部材を下方に押し込んで取り付ける過程を説明する図であり、（ｃ）、（ｄ）は、取り付けられた状態を示す図である。
【図９】先行技術の仕切り部材を収納部本体に取り付けた状態を示す。
【図１０】（ａ）、（ｂ）は先行技術の問題点を説明する図である。
【図１１】脱着可能な仕切り部材で仕切られた従来の収納ボックスの構成を示し、（ａ）は全体構成であり、（ｂ）は仕切り部材を取り付けまたは取り外しの状態を示す図である。
【発明を実施するための形態】
【００１９】
本発明に係る収納部材および該収納部材を備えた引出しキャビネットを実施するための形態を実施例に基づき図面を参照して、以下説明する。
【実施例】
【００２０】
本発明に係る収納部材１は、樹脂材料等で形成され、キッチン等で利用される引出しキャビネットの引出し２内に取り付けられて使用される。本発明の収納部材１は、後記する脱着可能な仕切り部材の取付配置を変更することで、収納物を収容する空間（収納空間）３の仕切り状態は変わるが、図１（ａ）、（ｂ）は、引出し２の前板（扉）１８の裏面に取り付けられた状態の収納部材１の全体構成の例を示す。
【００２１】
本明細書では、引出しキャビネットの引出し２を、図１（ａ）の矢印Ｆに示すように、その前方から正面視した際に、左右を引出しキャビネットの左右方向とし、手前奥行き方向を引出しキャビネットの前後方向とする。
【００２２】
収納部材１は、図１（ａ）、（ｂ）に示すように、収納空間３を形成する収納部本体６と、収納空間３を複数の小空間に分割するための後記する仕切り部材７、８、９と、を備えている。
【００２３】
収納部本体６は、図１（ａ）、（ｂ）および図２（ａ）に示すように、前壁部１２、底壁部１３、後壁部１４および左右の側壁部１５とから一体に形成されている。前壁部１２、底壁部１３、後壁部１４および左右の側壁部１５のそれぞれの上端の面の部分を、それぞれの壁部の上端部という。
【００２４】
収納部本体６は、前壁部１２をネジ等で引出し２の前板１８の裏面１９に固定することによって、引出し２の前板１８に取り付けられる。     
【００２５】
後壁部１４には、その上端部２１の近傍には係合部２３が形成されている。より詳細には、図２（ａ）に示すように、後壁部１４の上端部２１近くの下方外面２４には、前方に引込んだ段状の係合部２３が左右方向の略全域に形成されている。この係合部２３には、後記する大きな仕切り部材７または中位の仕切り部材８の引掛け部２５がスライド可能に係合する。なお、本実施例では、前壁部１２には係合部２３は形成されていない。
【００２６】
その理由は、後記するが、大きな仕切り部材７または中位の仕切り部材８を取り外す際に、引出し２の前板１８と収納部本体６の前壁部１２との間の隙間は、３ｍｍ程度しかないので、指を差し込んで引掛け部２５に指を掛けることができないためである。
【００２７】
前壁部１２および後壁部１４の両方または一方における下方の部位であって、大きな仕切り部材７または中位の仕切り部材８と当接する内面側（収納空間側）には、大きな仕切り部材７または中位の仕切り部材８の両側に形成された支持壁部３６または３７（仕切り部材の側面部）に当接して内側（収納空間側）に押圧する押圧手段が設けられている。
【００２８】
押圧手段としてはいろいろな構成が考えられるが、本実施例では、前壁部１２および後壁部１４における下方の部位に張り出し部１７が形成されている。この張り出し部１７の構成、作用については、後で詳記する。
【００２９】
左右の側壁部１５を図６に示すが、側壁部１５は、図６（ａ）、（ｂ）に示すように、その上端部１６の近傍には、前後方向の略全域に係合部３０が形成されている。係合部３０の構成は、後壁部１４に形成されている係合部２３と同様であり、側壁部１５の上端部１６近くの下方外面に、前方に段状に引込んだ構成として形成されている。
【００３０】
仕切り部材は、収納空間を複数の小空間に分割するものであり、いくつかの種類が考えられるが、この実施例では、大きな仕切り部材７（図３参照）、中位の仕切り部材８（図４参照）、および小さな仕切り部材９（図５参照）の３つの仕切り部材を備えている。
【００３１】
本実施例では、３つの仕切り部材７、８、９の大きさの関係は、次のとおり形成されている。即ち、３つの仕切り部材７、８、９の高さについては、大きな仕切り部材７は、中位の仕切り部材８および小さな仕切り部材９より高く形成されている。３つの仕切り部材７、８、９の横幅については、大きな仕切り部材７および中位の仕切り部材８は互いに同じ横幅であり、小さな仕切り部材９より大きく形成されている。
【００３２】
３つの仕切り部材７、８、９のそれぞれの特徴的な構成は、後記するが、３つの仕切り部材７、８、９に共通する構成を、図３〜図５等を参照にして以下説明する。
【００３３】
本明細書では、板状の仕切り部材７、８、９を正面視するとは、その厚み方向（板を貫通する方向）から正面視する意味であり、正面視して表側の平坦面を正面部と言い、裏面側の平坦面を裏面部と言う。また、仕切り部材の上面（上端の面）を上端部と言う。
【００３４】
３つの仕切り部材７、８、９は、それぞれ図３、４、５に示すように、収納空間３を実質的に分割する仕切り壁部３１、３２、３３と、仕切り壁部の両側に形成され、収納部本体６の前壁部１２および後壁部１４の内壁面に近接または当接する支持壁部３６、３７、３８と、仕切り壁部３１、３２、３３の両支持壁部３６、３７、３８に形成された引掛け部２５と、を備えており、正面側、裏面側および側面側（支持壁部側）のいずれからみても左右対称に形成されている。
【００３５】
引掛け部２５は、仕切り壁部３１、３２、３３の両支持壁部３６、３７、３８から略∩字型で外側に向けて形成されている。引掛け部２５の下端部には鈎部２６が形成されている。
【００３６】
鈎部２６は、図３（ａ）に示すように、その内側内面に後壁部１４の係合部２３等と係合可能な係合段部２７が形成されている。また鈎部２６において、係合段部２７の下方には下向きに凸状の曲面部２８が形成され、下端には指掛け部２９が形成されている。
【００３７】
図３（ａ）に示すように、大きな仕切り部材７の仕切り壁部３１は、下半部４３と上半部４４とから成る。大きな仕切り部材７では、引掛け部２５は、仕切り壁部３１の下半部４３の上端における両支持壁部３６から外側に向けて形成されている。    
【００３８】
仕切り壁部３１の上半部４４の上端部（上面）４５は、図３（ａ）に示すように、正面視で凹状に形成されており、上半部４４の下部には、矩形の開口部４８が形成されている。図３（ｂ）に示すように、開口部４８の下縁部４９の角部５２（下縁部４９と仕切り壁部３１の正面部５０および裏面部５１それぞれとの角部５２）には、それぞれＲ部（曲面部）が形成されている。
【００３９】
図７に示すように、大きな仕切り部材７を収納部本体６に取り付けた際に、開口部４８の下縁部４９の高さは、収納部本体６の前壁部１２、後壁部１４および左右両側壁部１５の上端部と同一高さに形成されている。また、中位の仕切り部材８を収納部本体６に取り付けた際に、開口部４８の下縁部４９の高さは中位の仕切り部材８の上端部５６の高さと同じとなるようにすることが好ましい。
【００４０】
図３（ａ）、（ｂ）、図７に示すように、開口部４８の下縁部４９近くの下方であって、正面部５０および裏面部５１のそれぞれに、断面で凹状に窪んだ仕切り壁係合部５７が開口部４８の下方の略全域に形成されている。この仕切り壁係合部５７には、中位の仕切り部材８または小さな仕切り部材９の引掛け部２５が係合する。仕切り壁係合部５７は仕切り壁部３１の下半部４３より肉厚に形成されている。これは、中位の仕切り部材８や小さい仕切り部材９を左右両側から取り付けることが可能な構成とするためである。
【００４１】
大きな仕切り部材７を正面視して左右両側または一方の側の下端部には、切欠き５３が形成されている。この切欠き５３によって、仕切り壁部３１と支持壁部３６、より詳細には支持壁部３６における下側の部分３９との間にスリット状の空間が設けられる。
【００４２】
前述の押圧手段として形成された張り出し部１７は、前壁部１２および後壁部１４の両方または一方における下方の部位であって、大きな仕切り部材７が収納部本体６に取り付けられた状態で、図７、図８（ｃ）、（ｄ）に示すように、切欠き５３が形成されている部位に対応する位置に設けられている。張り出し部１７は、傾斜壁部３４と起立壁部３５とで構成されており、左右方向の略全域に形成されている。
【００４３】
これによって、大きな仕切り部材７が収納部本体６に取り付けられる際には、図８（ｂ）に示すように、支持壁部３６の下端が傾斜壁部３４に沿ってスムーズに押圧されながら起立壁部３５に当接するまで下降する。そして、起立壁部３５が、切欠き５３に隣接する支持壁部３６の下側の部分３９を切欠き５３を圧縮する方向、換言すると切欠き５３側の方向に押圧する。
【００４４】
張り出し部１７の高さ寸法は、切欠き５３の高さ寸法と同一に設定されていことが好ましい。このように設定すると、切欠き５３の高さ寸法は、支持壁部３６における張り出し部１７によって切欠き５３側に押圧される下側の部分３９に対応することとなる。
【００４５】
なお、押圧手段は、図２（ｂ）に示すように、前壁部１２および後壁部１４の両方または一方における下方の部位において、内側（収納空間側）に向け漸次傾斜したテーパ面５４であってもよい。押圧手段は、別部材を切欠き部５３に対応する位置に取り付けていてもよい。                                                       
【００４６】
図４（ａ）に示すように、中位の仕切り部材８では引掛け部２５は、仕切り壁部３２の両支持壁部３７の上端から外側に向けて延びるように形成されおり、その構成は、大きな仕切り部材７の引掛け部２５と同じ構成である。図４（ｂ）に示すように、中位の仕切り部材８の上端部５６の角部６０（上端部５６と、正面部６１および裏面部６２それぞれとの角部６０）にはＲ部（曲面部）が形成されている。
【００４７】
中位の仕切り部材８の仕切り壁部３２の上端部５６近傍には、仕切り壁係合部５７を備えている。より詳しくは、図４（ｂ）に示すように、仕切り壁部３２の上端部５６近くの下方であって、仕切り壁部３２の正面部６１および裏面部６２のそれぞれに、断面で凹状に窪んだ仕切り壁係合部５７が左右方向の略全域に形成されている。この仕切り壁係合部５７には、小さな仕切り部材９の引掛け部２５が係合し、場合によっては、他の中位の仕切り部材８および大きな仕切り部材７の引掛け部２５も係合可能である。
【００４８】
中位の仕切り部材８にも、大きな支持部材７と同様に、正面視して左右両側または一方の側の下端部には、仕切り壁部３２と支持壁部３７、より詳細には支持壁部３７における下側の部分４０との間にスリット状の空間を設けるための切欠き５３が形成されている。
【００４９】
前述の押圧手段として形成された張り出し部１７は、前壁部１２および後壁部１４の両方または一方における下方の部位であって、中位の仕切り部材８が収納部本体６に取り付けられた状態で、切欠き５３が形成されている部位に対応する位置に設けられている。
【００５０】
これによって、中位の仕切り部材８が収納部本体６に取り付けられる際には、大きな仕切り部材７の場合と同様に、図８（ｂ）に示すように、支持壁部３７が傾斜壁部３４に沿ってスムーズに押圧されながら起立壁部３５に当接するまで下降する。そして、起立壁部３５は、切欠き５３に隣接する支持壁部３７の下側の部分４０を、切欠き５３を圧縮する方向、換言すると切欠き５３側の方向に押圧する。
【００５１】
なお、中位の仕切り部材８についても、押圧手段は、大きな仕切り部材７と同様に、前壁部１２および後壁部１４の両方または一方における下方の部位において、内側（収納空間側）に向け漸次傾斜したテーパ面５４であってもよい。押圧手段は、別部材を切欠き部５３に対応する位置に取り付けていてもよい。 
【００５２】
図５（ａ）に示す小さな仕切り部材９は、中位の仕切り部材８より横幅は小さいが、その仕切り壁部３３の左右両支持壁部３８には、大きな仕切り部材７および中位の仕切り部材８と同様の構成である引掛け部２５が形成されている（図５（ｂ）参照）。
【００５３】
（作用）  
以上の構成から成る本発明に係る収納部材および収納部材を備えた引出しキャビネットの作用を、収納部本体６への各仕切り部材の取り付け、取り外しの仕方などを通して説明する。収納部材１は、収納部本体６をネジ等によって引出しキャビネットの引出し２の前板１８の裏面１９に固定することで、引出し２内に取り付ける。
【００５４】
大きな仕切り部材７は、図１（ａ）、（ｂ）に示すように、両側の引掛け部２５を引出し２の前後方向となるように向けて、収納部本体６の前壁部１２と後壁部１４の間に位置させ、両側の引掛け部２５をそれぞれ前壁部１２上端部１０と後壁部１４の上端部２１を挟持するように掛けてから、下方へ押し込んで挿入する。
【００５５】
大きな仕切り部材７を下方へ押し込む際に、両側の引掛け部２５の鈎部２６は、下向きに凸状の曲面部２８が形成されているので、前壁部１２上端部１０と後壁部１４の上端部２１と係合することなく、前壁部１２と後壁部１４の外面を摺接するので、引掛け部２５をその弾力に抗して外側に開くようにして下方に押し込むことが可能となる。
【００５６】
このようにして大きな仕切り部材７を下方に押し込んで挿入していくと、図７に示すように、後壁部１４に引掛けた引掛け部２５の鈎部２６は、その係合段部２７によって後壁部１４の係合部２３に係合する。前壁部１２には係合部２３が形成されていないので、前壁部１２に引掛けた引掛け部２５の鈎部２６は、特に前壁部１２の一部に係合するようなことはない。                                             
【００５７】
このように大きな仕切り部材７を収納部本体６に取り付けると、図１（ａ）、（ｂ）に示すように、収納部本体６の収納空間３が分割される。大きな仕切り部材７の引掛け部２５は後壁部１４の係合部２３に係合するので、収納部材１から収納物を取り出す際に、大きな仕切り部材７は、一緒に上方に取り外されるようなことが防止でき、安定した状態で取り付けられる。
【００５８】
ところで、大きな仕切り部材７を下方へ押し込むと、図８（ａ）、（ｂ）に示すように、前壁部１２および後壁部１４の両方または一方に設けられた張り出し部１７が、大きな仕切り部材７の切欠き５３に隣接する支持壁部３６の下側の部分３９を切欠き５３を圧縮する方向に押圧する。本明細書では係合部２３、仕切り壁係合部５７が幅方向で略全域に形成されている実施例を示したが、これに限らず幅方向において部分的に形成されるのでもよい。
【００５９】
これによって、図８（ｃ）、（ｄ）に示すように、支持壁部３６の下側の部分３９が張り出し部１７によって圧接された状態となるので、大きな仕切り部材７の下部は、底壁部１３に沿って移動したりずれたりするようなことがなくなり、大きな仕切り部材７と収納部本体６の隙間をシビアに設計、製造管理しなくても、収納物を収納しても安定した取り付け状態を維持することができる。                     
【００６０】
大きな仕切り部材７を収納部本体６から取り外す場合には、後壁部１４に引掛けていた引掛け部２５の鈎部２６の指掛け部２９に指を掛けて、図７の矢印に示す方向に、引掛け部２５の弾力に抗して外側に開くことにより、鈎部２６の係合段部２７と後壁部１４の係合部２３と係合状態を解除し、収納部本体６を上方に持ち上げればよい。
【００６１】
なお、前壁部１２には係合部２３が形成されていないので、大きな仕切り部材７を収納部本体６から取り外す場合でも、前壁部１２に引掛けていた引掛け部２５の鈎部２６は、図７に示すように、前壁部１２に係合することはないので、特に鈎部２６を係合から解除するようなことなく、上方へ取り外し可能である。
【００６２】
大きな仕切り部材７の上端部４５には凹部が形成されているので、フライパンやレードル（おたま）類のような収納物の柄を上端部４５にかけた際に、柄が横方向にずれ落ちるようなことが防止できる。
【００６３】
中位の仕切り部材８を、図１（ａ）、（ｂ）に示すように収納部本体６に取り付け、取り外す場合も、大きな仕切り部材７を取り付け、取り外す場合と同様に行うことができる。また、中位の仕切り部材８についても、取り付けの際に下方へ押し込むと、大きな仕切り部材７と同様に、図８（ａ）、（ｂ）に示すように、前壁部１２および後壁部１４の両方または一方に設けられた張り出し部１７が、中位の仕切り部材８の切欠き５３に隣接する支持壁部３７の下側の部分４０を切欠き５３を圧縮する方向に押圧する。
【００６４】
これによって、図８（ｃ）、（ｄ）に示すように、支持壁部３７の下側の部分４０が張り出し部１７によって圧接された状態となるので、底壁部１３に沿って移動したりずれたりするようなことがなくなり、収納物を収納しても安定した取り付け状態を維持することができる。
【００６５】
小さな仕切り部材９は、図１（ｂ）に示すように、収納部本体６の長手方向に向けて配置し、大きな仕切り部材７と中位の仕切り部材８との間に取り付けられる。このように小さな仕切り部材９を取り付ける場合は、図５（ｂ）に示すように、小さな仕切り部材９の一方の引掛け部２５を大きな仕切り部材７の開口部４８の下縁部４９に引掛け、他方の引掛け部２５を中位の仕切り部材８の上端部５６に引掛ける。
【００６６】
そして、小さな仕切り部材９を下方に押し込んでいくと、図５（ｂ）に示すように、一方の引掛け部２５の鈎部２６は、仕切り部材の開口部４８の下方の仕切り壁係合部５７に係合し、また他方の引掛け部２５の鈎部２６は中位の仕切り部材８の上端部５６の下方の仕切り壁係合部５７に係合する。
【００６７】
これによって、小さな仕切り部材９は、大きな仕切り部材７と中位の仕切り部材８との間の収納空間３を分割することができ、そして、収納物の取り出しとともに取り出されるようなことなく、安定した状態で取り付けられる。
【００６８】
図６（ｃ）に示すように、小さな仕切り部材９の一方の引掛け部２５を、側壁部１５の上端部１６に引掛けて、鈎部２６を側壁部１５に形成された側壁部１５の係合部３０に係合させることで、図１（ａ）に示すように、収納空間３の一部を前後に仕切ることが可能である。
【００６９】
なお、図１（ａ）では、小さな仕切り部材９の他方の引掛け部２５を、大きな仕切り部材７または中位の仕切り部材８に引掛けることなくフリーな状態としているが、大きな仕切り部材７または中位の仕切り部材８に引掛ける構成とすれば、より安定した状態に取り付けることができる。
【００７０】
以上、大きな仕切り部材７、中位の仕切り部材８および小さな仕切り部材９の収納部本体６への取り付け、取り外しについて説明したが、これらの仕切り部材をそれぞれ取り付ける枚数、取り付けの配置等は、収納物の形状、使用者のニーズ等に応じて自由に設定可能であり、必要に応じて仕切り部材を取り外して再び取り付けることで変更可能である。
【００７１】
大きな仕切り部材７および中位の仕切り部材８は、それぞれその引掛け部２５が、前壁部１２の上端部２０および後壁部１４の上端部２１にスライド可能に取り付けられているので、図１（ａ）の矢印に示すように仕切り部材を移動して、仕切り位置ないし収納空間３の分割状態を連続的に調整することが可能である。そして、引掛け部２５が係合部２３、３０と係合するので収納物の影響を受けずに安定して仕切り部材７、８が保持される。
【００７２】
なお、前壁部１２には係合部２３は形成されておらず、仕切り部材７、８の両側に形成された引掛け部２５のうち一方のみを、後壁部１４の係合部２３と係脱すればよいので、収納部本体６に対する着脱が容易となる。特に、仕切り部材７、８を収納部本体６から取り外す際に、引出し２の前板１８と収納部本体６の前壁部１２との間の隙間に指を差し込んで引掛け部２５に指をかけるような必要がないので、取り外しが容易となる。
【００７３】
同様に、中位の仕切り部材８および小さな仕切り部材９は、それぞれその引掛け部２５が、大きな仕切り部材７の開口部４８の下縁部４９、または他の中位の仕切り部材８の上端部５６若しくは側壁部１５の上端部１６に、スライド可能に取り付けられているので、それらの上端部に沿って仕切り部材を移動して、仕切り位置ないし収納空間３の分割状態を連続的に調整することが可能である。そして、引掛け部２５が係合部５７、３０と係合するので収納物の影響を受けずに安定して仕切り部材８、９が保持される。
【００７４】
本発明では、前壁部１２および後壁部１４の両方または一方に押圧手段として形成された張り出し部１７が、仕切り部材７、８の切欠き５３に対応する位置に設けられているので、仕切り部材７、８を収納部本体６に取り付けると、仕切り部材７、８の支持壁部３６、３７が張り出し部１７によって押圧されて、押圧力が生じ、仕切り部材７、８のずれ止めが防止可能となる。従って、仕切り部材７、８と収納部本体６との隙間をシビアに設計、製造管理する必要がなくなる。
【００７５】
張り出し部１７は、傾斜壁部３４と、その下方につながる起立壁部３５を備えているので、仕切り部材７、８を収納部本体６に取り付けるために下方に押し下げる際に、支持壁部３６、３７が傾斜壁部３４に沿ってスムーズに案内されて起立壁部３５に当接し、仕切り部材７、８の取り付けが容易となる。
【００７６】
ところで、前記のとおり張り出し部１７の高さ寸法を切欠き５３の高さ寸法と同一に設定すると、切欠き５３は支持壁部３６、３７の下側の部分３９と対応するので、張り出し部１７によって、下側の部分３９の略全体が切欠き５３側に押し込まれることとなる。
【００７７】
そして、張り出し部１７と支持壁部３６、３７とが互いに押圧しあうことにより押圧力が生じるが、この押圧力は、張り出し部１７の高さ寸法および切欠きの高さ寸法に応じた大きさとなる。従って、張り出し部１７の高さ寸法および切欠きの高さ寸法を適宜設定すれば、仕切り部材７、８を取り付け易くかつ仕切り部材がずれにくい、適度な押圧力が得られる。
【００７８】
上記構成の収納部材１を取り付けられた引出しキャビネットは、仕切り部材は収納物の重さで仕切り部材が移動したり倒れた状態となるようなことなく、安定して保持可能であるので、引出しキャビネットの引出し２内において、収納物は整然と整理された状態で収納することが可能となる。
【００７９】
以上、本発明に係る収納部材および該収納部材を備えた引出しキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００８０】
本発明に係る収納部材および該収納部材を備えた引出しキャビネットは上記のような構成であるから、キッチンの引出しキャビネットだけでなく、各種の引出し内に取り付ける収納部材、或いは引出しと関係なく収納具自体として使用する収納部材としても適用可能である。
【符号の説明】
【００８１】
１  収納部材                                                 
２  引出しキャビネットの引出し                               
３  収納空間                                                 
６  収納部本体                                               
７  大きな仕切り部材                                         
８  中位の仕切り部材                                         
９  小さな仕切り部材                                         
１２  前壁部                                                 
１３  底壁部                                                 
１４  後壁部                                                 
１５  左右の側壁部                                           
１６  側壁部の上端部
１７  張り出し部                                        
１８  引出しの前板（扉）                                           
１９  前板（扉）の裏面                                             
２０  前壁部の上端部
２１  後壁部の上端部                        
２３  後壁部の係合部                                         
２４  後壁部の外面                                           
２５  引掛け部                                               
２６  鈎部                                                   
２７  係合段部                                               
２８  鈎部の曲面部                                           
２９  指掛け部                                               
３０  側壁部の係合部                                         
３１  大きな仕切り部材の仕切り壁部                           
３２  中位の仕切り部材の仕切り壁部                           
３３  小さな仕切り部材の仕切り壁部
３４  張り出し部の傾斜壁部
３５  張り出し部の起立壁部
３６  大きな仕切り部材の仕切り壁部の支持壁部                   
３７  中位の仕切り部材の仕切り壁部の支持壁部                  
３８  小さな仕切り部材の仕切り壁部の支持壁部
３９  大きな仕切り部材の仕切り壁部の支持壁部の下側の部分
４０  中位の仕切り部材の仕切り壁部の支持壁部の下側の部分                
４３  大きな仕切り部材の仕切り壁部の下半部                   
４４  大きな仕切り部材の仕切り壁部の上半部                   
４５  上半部の上端部                                         
４８  開口部                                                 
４９  開口部の下縁部                                         
５０  大きな仕切り部材の仕切り壁部の正面部                   
５１  大きな仕切り部材の仕切り壁部の裏面部                   
５２  開口部の下縁部の角部
５３  切欠き                                   
５４  前壁部および後壁部の少なくともいずれかに形成されるテーパ部
５６  中位の仕切り部材の上端部                               
５７  仕切り壁係合部 
５８  仕切り壁係合部の上縁                                        
６０  中位の仕切り部材の上端部の角部                         
６１  中位の仕切り部材の正面部                               
６２  中位の仕切り部材の裏面部 
７０  収納部材
７１  収納部材本体
７２  前壁部
７３  後壁部
７４  仕切り部材
７５  仕切り部材
７６  仕切り部材の上端の挟持片
７７  収納部本体
７８  収納物
７９  収納部本体の底壁部
８０  ボックス
８１  仕切り部材
８２  溝
【図１】
0006383263.tif 000002
【図２】
0006383263.tif 000003
【図３】
0006383263.tif 000004
【図４】
0006383263.tif 000005
【図５】
0006383263.tif 000006
【図６】
0006383263.tif 000007
【図７】
0006383263.tif 000008
【図８】
0006383263.tif 000009
【図９】
0006383263.tif 000010
【図１０】
0006383263.tif 000011
【図１１】
0006383263.tif 000012